【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
特定遊技状態を生起させるか否かを決定する当たり抽選を実行する当たり抽選手段と、
当たり抽選が実行された場合に、識別情報の変動表示を実行した後に、当たり抽選の結果に応じた態様による識別情報の停止表示を実行する抽選結果表示手段と、
所定条件が成立した場合に、識別情報の変動表示の実行中に、所定演出が開始されるまでの残り時間に対応する値を示唆する示唆情報の表示を含む示唆演出を実行する演出制御手段と、を備え、
前記示唆演出は、示唆情報により示唆される値が増加する演出と、示唆情報により示唆される値が減少する演出と、を含んでなることを特徴とする遊技機。
【請求項２】
特定遊技状態を生起させるか否かを決定する当たり抽選を実行する当たり抽選手段と、
当たり抽選が実行された場合に、識別情報の変動表示を実行した後に、当たり抽選の結果に応じた態様による識別情報の停止表示を実行する抽選結果表示手段と、
所定条件が成立した場合に、識別情報の変動表示の実行中に、示唆画像により示唆される値が増加する増加演出と、示唆画像により示唆される値が減少する減少演出と、を実行する演出制御手段と、を備え、
前記減少演出では、示唆画像により、所定演出が開始されるまでの残り時間に対応する値が示唆されることを特徴とする遊技機。
【請求項３】
特定遊技状態を生起させるか否かを決定する当たり抽選を実行する当たり抽選手段と、
当たり抽選が実行された場合に、識別情報の変動表示を実行した後に、当たり抽選の結果に応じた態様による識別情報の停止表示を実行する抽選結果表示手段と、
所定条件が成立した場合に、識別情報の変動表示の実行中に、所定演出が開始されるまでの残り時間に対応する値を示唆する示唆情報の表示を含む示唆演出を実行する演出制御手段と、を備え、
前記示唆演出は、示唆情報により示唆される値が減少する演出と、示唆情報により示唆される値の更新が停止する演出と、を含んでなることを特徴とする遊技機。
【請求項４】
特定遊技状態を生起させるか否かを決定する当たり抽選を実行する当たり抽選手段と、
当たり抽選が実行された場合に、識別情報の変動表示を実行した後に、当たり抽選の結果に応じた態様による識別情報の停止表示を実行する抽選結果表示手段と、
所定条件が成立した場合に、識別情報の変動表示の実行中に、示唆画像により示唆される値が減少する減少演出と、示唆画像により示唆される値の更新が停止する停止演出と、を実行する演出制御手段と、を備え、
前記減少演出では、示唆画像により、所定演出が開始されるまでの残り時間に対応する値が示唆されることを特徴とする遊技機。
【手続補正２】
【補正対象書類名】明細書
【補正対象項目名】０００５
【補正方法】変更
【補正の内容】
【０００５】
上記目的を達成するために、第一の発明に係る遊技機は、特定遊技状態を生起させるか否かを決定する当たり抽選を実行する当たり抽選手段と、当たり抽選が実行された場合に、識別情報の変動表示を実行した後に、当たり抽選の結果に応じた態様による識別情報の停止表示を実行する抽選結果表示手段と、所定条件が成立した場合に、識別情報の変動表示の実行中に、所定演出が開始されるまでの残り時間に対応する値を示唆する示唆情報の表示を含む示唆演出を実行する演出制御手段と、を備え、前記示唆演出は、示唆情報により示唆される値が増加する演出と、示唆情報により示唆される値が減少する演出と、を含んでなることを特徴とする。
第一の発明に係る遊技機では、所定演出が開始されるまでの残り時間を示唆する示唆情報の表示を含む示唆演出が実行される。特に、所定種別の示唆演出の実行中に、示唆情報により示唆される残り時間が増加される。
これによって、第一の発明に係る遊技機では、示唆演出が単調となることが抑制され、演出効果を向上することが可能となる。
ここで、特定遊技状態としては、後述する大当たり遊技状態が該当する。当たり抽選手段としては、後述する主制御装置２００（ステップＳ１０２、Ｓ１０６、Ｓ１１３）が該当する。識別情報としては、後述する特別図柄が該当する。抽選結果表示手段としては、後述する主制御装置２００（ステップＳ３５）が該当する。所定条件が成立とは、後述する変動演出決定処理（ステップＳ２５２）において、予告対象演出の実行に係る変動パターンの具体的内容が決定された場合が該当する。所定演出としては、後述する「擬似連続変動表示」、「リーチ演出」、「チャンスアップ演出」及び「当落演出」が該当する。演出制御手段としては、後述する演出制御装置３００が該当する。示唆情報としては、後述するタイマ画像ｔ（残り時間）が該当する。示唆演出としては、後述するタイマ予告演出が該当する。
【手続補正３】
【補正対象書類名】明細書
【補正対象項目名】０００６
【補正方法】変更
【補正の内容】
【０００６】
第二の発明に係る遊技機は、特定遊技状態を生起させるか否かを決定する当たり抽選を実行する当たり抽選手段と、当たり抽選が実行された場合に、識別情報の変動表示を実行した後に、当たり抽選の結果に応じた態様による識別情報の停止表示を実行する抽選結果表示手段と、所定条件が成立した場合に、識別情報の変動表示の実行中に、示唆画像により示唆される値が増加する増加演出と、示唆画像により示唆される値が減少する減少演出と、を実行する演出制御手段と、を備え、前記減少演出では、示唆画像により、所定演出が開始されるまでの残り時間に対応する値が示唆されることを特徴とする。
第二の発明に係る遊技機では、示唆演出が単調となることが抑制され、演出効果を向上することが可能となる。
【手続補正４】
【補正対象書類名】明細書
【補正対象項目名】０００７
【補正方法】変更
【補正の内容】
【０００７】
第三の発明に係る遊技機は、特定遊技状態を生起させるか否かを決定する当たり抽選を実行する当たり抽選手段と、当たり抽選が実行された場合に、識別情報の変動表示を実行した後に、当たり抽選の結果に応じた態様による識別情報の停止表示を実行する抽選結果表示手段と、所定条件が成立した場合に、識別情報の変動表示の実行中に、所定演出が開始されるまでの残り時間に対応する値を示唆する示唆情報の表示を含む示唆演出を実行する演出制御手段と、を備え、前記示唆演出は、示唆情報により示唆される値が減少するとする。
第三の発明に係る遊技機では、所定演出が開始されるまでの残り時間を示唆する示唆情報の表示を含む示唆演出が実行される。特に、所定種別の示唆演出の実行中に、示唆情報により示唆される残り時間の更新が停止される。
これによって、第三の発明に係る遊技機では、示唆演出が単調となることが抑制され、演出効果を向上することが可能となる。
ここで、特定遊技状態としては、後述する大当たり遊技状態が該当する。当たり抽選手段としては、後述する主制御装置２００（ステップＳ１０２、Ｓ１０６、Ｓ１１３）が該当する。識別情報としては、後述する特別図柄が該当する。抽選結果表示手段としては、後述する主制御装置２００（ステップＳ３５）が該当する。所定条件が成立とは、後述する変動演出決定処理（ステップＳ２５２）において、予告対象演出の実行に係る変動パターンの具体的内容が決定された場合が該当する。所定演出としては、後述する「擬似連続変動表示」、「リーチ演出」、「チャンスアップ演出」及び「当落演出」が該当する。演出制御手段としては、後述する演出制御装置３００が該当する。示唆情報としては、後述するタイマ画像ｔ（残り時間）が該当する。示唆演出としては、後述するタイマ予告演出が該当する。
【手続補正５】
【補正対象書類名】明細書
【補正対象項目名】０００８
【補正方法】変更
【補正の内容】
【０００８】
第四の発明に係る遊技機は、特定遊技状態を生起させるか否かを決定する当たり抽選を実行する当たり抽選手段と、当たり抽選が実行された場合に、識別情報の変動表示を実行した後に、当たり抽選の結果に応じた態様による識別情報の停止表示を実行する抽選結果表示手段と、所定条件が成立した場合に、識別情報の変動表示の実行中に、示唆画像により示唆される値が減少する減少演出と、示唆画像により示唆される値の更新が停止する停止演出と、を実行する演出制御手段と、を備え、前記減少演出では、示唆画像により、所定演出が開始されるまでの残り時間に対応する値が示唆されることを特徴とする。
第四の発明に係る遊技機では、示唆演出が単調となることが抑制され、演出効果を向上することが可能となる。